(57)【要約】【課題】施設内が無人である間に火災が発生した場合に、消防機関への通報までの時間を短縮する。【解決手段】施設内の異なる部屋に配置され、火災を検出する複数の火災感知器２と、複数の火災感知器２の検出結果に基づいて、火災の位置を特定する火災位置特定部７４１と、施設内に人がいるか否かを検出する検出部７４２と、複数の火災感知器２のうちの少なくとも一つが火災を検出し、且つ、検出部７４２において人がいないことを検出した場合に、火災の位置を示す情報を表示する表示装置とを備える。【選択図】図２
2018142227.tif 000002
【特許請求の範囲】
【請求項１】
施設内の異なる部屋に配置され、火災を検出する複数の火災感知器と、
前記複数の火災感知器の検出結果に基づいて、火災の位置を特定する火災位置特定部と、
前記施設内に人がいるか否かを検出する検出部と、
前記複数の火災感知器のうちの少なくとも一つが火災を検出し、且つ、前記検出部において人がいないことを検出した場合に、前記火災の位置を示す情報を表示する表示装置と、
を備える、火災報知システム。
【請求項２】
前記表示装置の周囲の明るさを検出する照度センサをさらに備え、
前記表示装置は、前記照度センサが周囲の明るさが所定値以下であることを検出した場合に、前記火災の位置を示す情報を表示する、
請求項１に記載の火災報知システム。
【請求項３】
前記表示装置は、前記火災の位置を示す情報を含む画像と、当該画像とは異なる画像とを交互に表示する、
請求項１又は２に記載の火災報知システム。
【請求項４】
前記表示装置は、前記複数の火災感知器の検出結果に基づいて、火災の拡散状況を示す情報を表示する、
請求項１から３のいずれか一項に記載の火災報知システム。
【請求項５】
施設内の異なる部屋に配置された複数のカメラをさらに備え、
前記表示装置は、前記複数のカメラのうち、前記火災の位置と同じ部屋に配置されたカメラにより撮影された画像を表示する、
請求項１から４のいずれか一項に記載の火災報知システム。
【請求項６】
前記複数の火災感知器のうちの少なくとも一つが火災を検出した場合に、前記表示装置の方向を、前記施設内において施設の外壁面に形成された窓に対向する位置に前記火災の位置を示す情報を表示する方向に変更する方向変更部をさらに有する、
請求項１から５のいずれか一項に記載の火災報知システム。
【発明の詳細な説明】
【技術分野】
【０００１】
本発明は、火災を報知するための火災報知システムに関する。
【背景技術】
【０００２】
火災報知装置は、火災発生時の熱、煙又は炎等を検出して、施設内にいる者に火災の発生を警報等により通知する。また、自動消火設備を有する火災報知装置も知られており、特許文献１には、火災感知器により火災を検出した場合に、スプリンクラーにより消火用水を散水して初期消火を行うことが記載されている。
【先行技術文献】
【特許文献】
【０００３】
【特許文献１】特開２０１５−８４８２５号公報
【発明の概要】
【発明が解決しようとする課題】
【０００４】
夜間又は休日等、施設内が無人である間に火災が発生することがある。この場合、警報音を出力したとしても、人が警報に気付くことができない。このため、消防機関への通報が遅れるという問題があった。
【０００５】
そこで、本発明はこれらの点に鑑みてなされたものであり、施設内が無人である間に火災が発生した場合に、消防機関への通報までの時間を短縮することができる火災報知システムを提供することを目的とする。
【課題を解決するための手段】
【０００６】
本発明の火災報知システムは、施設内の異なる部屋に配置され、火災を検出する複数の火災感知器と、前記複数の火災感知器の検出結果に基づいて、火災の位置を特定する火災位置特定部と、前記施設内に人がいるか否かを検出する検出部と、前記複数の火災感知器のうちの少なくとも一つが火災を検出し、且つ、前記検出部において人がいないことを検出した場合に、前記火災の位置を示す情報を表示する表示装置とを備える。
【０００７】
前記火災報知システムは、前記表示装置の周囲の明るさを検出する照度センサをさらに備え、前記表示装置は、前記照度センサが周囲の明るさが所定値以下であることを検出した場合に、前記火災の位置を示す情報を表示してもよい。
【０００８】
前記表示装置は、前記火災の位置を示す情報を含む画像と、当該画像とは異なる画像とを交互に表示してもよい。
【０００９】
前記表示装置は、前記複数の火災感知器の検出結果に基づいて、火災の拡散状況を示す情報を表示してもよい。
【００１０】
施設内の異なる部屋に配置された複数のカメラをさらに備え、前記表示装置は、前記複数のカメラのうち、前記火災の位置と同じ部屋に配置されたカメラにより撮影された画像を表示してもよい。
【００１１】
前記複数の火災感知器のうちの少なくとも一つが火災を検出した場合に、前記表示装置の方向を、前記施設内において施設の外壁面に形成された窓に対向する位置に前記火災の位置を示す情報を表示する方向に変更する方向変更部をさらに有してもよい。
【発明の効果】
【００１２】
本発明によれば、施設内が無人である間に火災が発生した場合に、消防機関への通報までの時間を短縮することができるという効果を奏する。
【図面の簡単な説明】
【００１３】
【図１】第１の実施形態の火災報知システムの構成を示す図である。
【図２】火災報知システムの構成を示す図である。
【図３】プロジェクタにより投影される警報画像の一例を示す図である。
【図４】受信機の動作の一例を説明するフローチャートである。
【図５】火災報知システムの動作の一例を示すシーケンス図である。
【図６】火災報知システムの動作の一例を示すシーケンス図である。
【発明を実施するための形態】
【００１４】
＜第１の実施形態＞
図１は、本実施形態に係る火災報知システム１００の構成を示す図である。火災報知システム１００は、火災の発生を検出する。また、火災報知システム１００は、施設内が無人である無人状態において火災の発生を検出した場合に、施設外を通行する第三者が火災の発生を察知できるように、火災の発生を報知するための警報画像を表示装置に表示する。
【００１５】
図１の例では、火災報知システム１００は、警報画像をスクリーンに投影するためのプロジェクタ１により、火災の発生及び火災の位置を示すメッセージをスクリーンに投影する。施設外を通行する第三者は、スクリーンに投影されたメッセージを施設の窓ごしに視認し、火災の発生を察知する。施設外を通行する第三者に火災の発生を報知することにより、施設外を通行する第三者が火災の発生を消防機関に通報することを期待することができる。
【００１６】
図２は、火災報知システム１００の構成を示す図である。火災報知システム１００は、プロジェクタ１と、火災感知器２と、終端回路３と、スピーカ４と、入退室機器５と、照度センサ６と、受信機７とを備える。火災報知システム１００は、検出対象となる区域ごとに、一以上の火災感知器２及び終端回路３を有する。区域は、施設内の仕切られた部屋に対応するが、一の区域に複数の部屋が含まれていてもよい。
【００１７】
火災感知器２は、区域内で火災が発生したことを検出するセンサであり、例えば、熱、煙又は炎を検出することにより、火災の発生を検出する。終端回路３は、受信機７が接続された回路の終端部である。
【００１８】
プロジェクタ１は、受信機７により生成された画像を表示するための表示装置を構成しており、画像をスクリーンに投影させる。プロジェクタ１は、スクリーンの前面から画像を投影する前面投影方式のプロジェクタである。なお、火災が発生していない平常時に、施設外を通行する第三者から見てプロジェクタ１等の設備が目立たないようにするために、スクリーンの背面から画像を投影する背面投影方式のプロジェクタを採用してもよい。また、プロジェクタ１は、壁又は天井に埋め込まれていてもよい。
【００１９】
スピーカ４は、施設内に配置された放送用のスピーカである。スピーカ４は、施設外を通行する第三者にも放送内容が聞き取れるような比較的大きな音量で音声出力を行うことが好ましい。
【００２０】
入退室機器５は、施設の各部屋の入退室を電気錠により管理するセキュリティ管理装置である。この施設では、施設の無人状態の間のセキュリティを確保するため、施設の最終退出者が、図示しない認証装置にカードキーをかざすことにより、施設全体の各出入り口を施錠する。入退室機器５は、施設全体の施錠の状況として、この最終退出者による施錠操作を記録して保持する。
【００２１】
照度センサ６は、プロジェクタ１の周囲の明るさを検出する。照度センサ６は、検出したプロジェクタ１の周囲の明るさを所定値と比較する。この所定値は、プロジェクタ１により投影された画像を施設外から識別可能な周囲の明るさの下限値である。照度センサ６は、プロジェクタ１の周囲の明るさの比較結果を受信機７へ送信する。
【００２２】
受信機７は、一以上の火災感知器２と電気的に接続されており、火災感知器２からの検出信号を監視することによって施設内の火災の発生を検出する。受信機７は、地区回路７１（７１−１〜７１−ｎ、ｎは自然数）、操作部７２、通信部７３、制御部７４及び表示部７５を備える。地区回路７１は、火災の発生を検出する区域ごとに設けられている。地区回路７１は、対応する区域内に設置された複数の火災感知器２のいずれかが火災の発生を検出した情報を受信する。地区回路７１は、対応する区域内に設置された火災感知器２から火災の発生を示す火災応答信号を受信した場合に、火災応答信号を制御部７４に通知する。
【００２３】
操作部７２は、ユーザが各種の設定を行うための操作用デバイスである。操作部７２は、例えば、スイッチ、ボタン又はタッチパネルにより構成される。通信部７３は、プロジェクタ１、スピーカ４、入退室機器５及び照度センサ６との間で、ＬＡＮ（Local Area Network）又は無線ＬＡＮ等の通信ネットワークにより各種の情報を送受信するための通信モジュールである。
【００２４】
制御部７４は、例えばＣＰＵ（Central Processing Unit）、ＲＯＭ(Read Only Memory)及びＲＡＭ(Random Access Memory)を有している。ＣＰＵは、ＲＯＭに格納されたプログラムを実行することにより、火災位置特定部７４１、検出部７４２、画像生成部７４３及び通信制御部７４４として機能する。
【００２５】
火災位置特定部７４１は、複数の火災感知器２の検出結果に基づいて、火災の位置及び拡散状況を特定する。より詳しくは、火災位置特定部７４１は、火災感知器２を識別するための火災感知器ＩＤに関連付けて、各火災感知器２が配置された部屋を識別するための部屋ＩＤをそれぞれ記憶している。火災位置特定部７４１は、火災を検出した火災感知器２が配置された部屋の部屋ＩＤをＲＯＭから読み出すことにより、火災の位置を特定する。また、火災位置特定部７４１は、複数の火災感知器２において火災を検出した場合には、火災を検出した火災感知器２が配置された部屋の部屋ＩＤをＲＯＭからそれぞれ読み出すことにより、火災の拡散状況を特定する。火災位置特定部７４１は、火災の発生及び火災の位置を受信機７に表示するための施設内向けの位置特定情報を生成し、位置特定情報を表示部７５に入力する。また、火災位置特定部７４１は、火災の発生及び火災の位置を施設内において放送するための警報音声を生成し、通信制御部７４４に警報音声を入力する。
【００２６】
検出部７４２は、通信部７３を介して施設全体の施錠の状況を入退室機器５から取得することにより、施設内に人がいるか否かを検出する。具体的には、最終退出者が施設全体の各出入り口を施錠する操作を行った状態であれば、施設が無人状態であると判定する。一方、最終退出者による施設全体の各出入り口を施錠する操作が行われていない状態であれば、施設に人がいる有人状態であると判定する。検出部７４２は、施設内に人がいるか否かの検出結果を画像生成部７４３に入力する。
【００２７】
画像生成部７４３は、検出部７４２において施設が無人状態であると判定した場合に、施設外を通行する第三者に火災の発生を報知するための警報画像を生成する。図３を参照して、画像生成部７４３の動作を説明する。図３（ａ）及び（ｂ）は、プロジェクタ１により投影される警報画像の一例を示す図である。プロジェクタ１は、複数の互いに異なる警報画像を交互に投影することができ、例えば、図３（ａ）及び（ｂ）に示す警報画像を一定期間ごとに交互に投影する。
【００２８】
画像生成部７４３は、図３（ａ）の上段に示すように、火災が発生したことを示す情報を警報画像に含める。また、画像生成部７４３は、火災の位置を火災位置特定部７４１から取得し、図３（ａ）の下段に示すように、取得した火災の位置を示す情報を警報画像に含める。
【００２９】
また、画像生成部７４３は、図３（ｂ）の上段に示すように、消防機関への通報を促すメッセージを警報画像に含める。また、画像生成部７４３は、図３（ｂ）の中段に示すように、消防機関への通報時に必要となる情報、例えば火災が発生した施設の住所を警報画像に含める。画像生成部７４３は、図３（ｂ）の下段に示すように、施設付近からの避難を促すメッセージを警報画像に含める。
【００３０】
図２の説明に戻る。画像生成部７４３は、火災位置特定部７４１から火災の拡散状況を取得し、火災の拡散状況を示す情報を警報画像に含めてもよい。火災の拡散状況を示す画像をプロジェクタ１によりスクリーンに投影することにより、施設外を通行する第三者に対し、消防機関へ通報することをより強く促すことができる。
【００３１】
施設内が無人の状態において火災感知器２が火災を検出した場合、施設外を通行する第三者により火災の消防機関への通報が行われることを期待して、施設外の第三者へ火災の発生を報知することが望ましい。ただし、プロジェクタ１によりスクリーンに投影された画像は、通常、明るい環境では識別困難となる。
【００３２】
そこで、画像生成部７４３は、照度センサ６におけるプロジェクタ１の周囲の明るさの比較結果を取得し、（１）照度センサ６において検出された周囲の明るさが所定値以下であり、（２）複数の火災感知器２のうちの少なくとも一つが火災を検出し、且つ、（３）検出部７４２において施設内が無人状態であることを検出した場合に、警報画像を生成する。一方、画像生成部７４３は、照度センサ６において明るさが所定値を超えることを検出した場合、複数の火災感知器２がいずれも火災を検出しない場合、又は、検出部７４２において施設内が有人状態であることを検出した場合には、警報画像を生成しない。
【００３３】
通信制御部７４４は、通信部７３を介して、プロジェクタ１、スピーカ４、入退室機器５又は照度センサ６に対し、各種のデータの送受信を行う。通信制御部７４４は、火災位置特定部７４１により生成された警報音声をスピーカ４へ送信し、スピーカ４により警報音声を出力させる。また、通信制御部７４４は、画像生成部７４３により生成された警報画像をプロジェクタ１へ送信し、プロジェクタ１により警報画像をスクリーンに投影させる。表示部７５は、制御部７４において生成された情報を表示するためのディスプレイである。表示部７５は、施設内にいる者が確認するための情報を表示し、例えば、火災位置特定部７４１において生成された火災の発生及び火災の位置を示す位置特定情報を表示する。
【００３４】
図４は、受信機７の動作の一例を説明するフローチャートである。この処理手順は、複数の火災感知器２のうちのいずれかが火災を検出したときに開始される。まず、火災位置特定部７４１は、火災の発生及び火災の位置を受信機７の表示部７５に表示させる（Ｓ１）。
画像生成部７４３は、照度センサ６によるプロジェクタ１の周囲の明るさの比較結果が、低照度状態を示しているか否かを判定する（Ｓ２）。検出部７４２は、プロジェクタ１の周囲の明るさが所定値以下であると判定した場合（Ｓ２のＹＥＳ）、施設全体の施錠の状況を入退室機器５から取得することにより、施設内に人がいるか否かを検出する（Ｓ３）。検出部７４２は、検出結果を画像生成部７４３に通知する。
【００３５】
通信制御部７４４は、検出部７４２において施設内が無人状態であることを検出した場合（Ｓ３のＹＥＳ）、無線ＬＡＮを介して、プロジェクタ１へ起動信号を送信し、プロジェクタ１に起動処理を開始させる（Ｓ４）。起動処理は、例えば、プロジェクタ１が、消費電力の小さい待機状態から、消費電力がより大きく且つ画像をスクリーンに投影可能な通常状態へ移行する処理である。
【００３６】
さらに、プロジェクタ１は、火災が発生したことを示す情報を含む警報画像と、火災の位置を示す情報を含む警報画像とをそれぞれ通信制御部７４４から無線ＬＡＮにより受信し、これらの警報画像を所定期間ごとに切り替えて、交互にスクリーンに投影する（Ｓ５）。
【００３７】
また、スピーカ４は、通信制御部７４４から受信した警報音声を施設内において出力する（Ｓ６）。次に、通信制御部７４４は、操作部７２が、警報画像の投影停止及び警報音声の出力停止を指示する施設関係者の復旧操作を受け付けたか否かを判定する（Ｓ７）。この復旧操作は、例えば、施設関係者が、火災発生を察知した等の理由により施設内へ到達したとき等に行われる。
【００３８】
通信制御部７４４は、操作部７２が施設関係者の復旧操作を受け付けた場合には（Ｓ７のＹＥＳ）、警報音声の出力停止信号をスピーカ４へ送信し、スピーカ４は、警報音声の出力を停止させる（Ｓ８）。さらに、通信制御部７４４は、警報画像の表示停止信号をプロジェクタ１へ送信し、プロジェクタ１は、受信した表示停止信号に応答して、警報画像の投影を停止させ、処理を終了する（Ｓ８）。
【００３９】
ステップＳ１の判定において、スピーカ４は、照度センサ６において検出された周囲の明るさが所定値を超えると判定した場合（Ｓ２のＮＯ）、通信制御部７４４から受信した警報音声を施設内において音声出力し、処理を終了する（Ｓ９）。また、ステップＳ３の判定において、スピーカ４は、検出部７４２において施設内が有人状態であることを検出した場合（Ｓ３のＮＯ）、通信制御部７４４から受信した警報音声を施設内において音声出力し、処理を終了する（Ｓ９）。また、ステップＳ７の判定において、通信制御部７４４が施設関係者の復旧操作を受け付けていない場合には（Ｓ７のＮＯ）、ステップＳ５〜Ｓ６の処理手順を繰り返す。
【００４０】
図５は、火災報知システム１００の動作の一例を示すシーケンス図であり、プロジェクタ１の周囲が明るい日中等において施設内が有人状態である場合の火災報知システム１００の動作の一例を示す。例えば、火災感知器２及び受信機７が火災の監視を開始したときに、この処理手順は開始する。
【００４１】
受信機７の通信制御部７４４は、各火災感知器２に対し、火災の検出結果を要求する状態要求信号を一定期間ごとに送信する。各火災感知器２は、通信制御部７４４からの状態要求信号に応答して、火災を検出していないことを示す正常応答信号を受信機７へ送信する。その後、一の火災感知器２が火災を検出したときに、火災を検出した火災感知器２は、通信制御部７４４からの状態要求信号に応答して、火災の発生を示す火災応答信号を受信機７へ送信する。
【００４２】
通信制御部７４４は、火災位置特定部７４１が一の火災感知器２から火災応答信号を受信した場合に、照度センサ６に対し、プロジェクタ１の周囲の明るさの比較結果を要求する照度状態要求信号を送信する。照度センサ６は、照度状態要求信号に応答して、プロジェクタ１の周囲の明るさを検出する。照度センサ６は、検出した明るさを所定値と比較し、プロジェクタ１の周囲の明るさが所定値を超えることを検出する。この場合に、照度センサ６は、照度が高いことを示す高照度状態信号を受信機７へ送信する。
【００４３】
通信制御部７４４は、照度センサ６から高照度信号を受信し、プロジェクタ１の周囲の明るさが所定値を超えるため、プロジェクタ１の使用に適さないと判定する。また、通信制御部７４４は、入退室機器５へ施設全体の施錠の状況を示す情報を要求する警備状態要求信号を送信する。入退室機器５は、警備状態要求信号に応答して、施設全体の施錠の状況を示す情報として、施設内が有人であることを示す有人状態信号を送信する。受信機７の通信制御部７４４は、入退室機器５から有人状態信号を受信する。この場合、施設内は有人であるため、受信機７の通信制御部７４４は、プロジェクタ１により警報画像を投影させることなく、処理を終了する。
【００４４】
図６は、火災報知システム１００の動作の一例を示すシーケンス図であり、プロジェクタ１の周囲が暗い夜間等において施設内が無人状態である場合の火災報知システム１００の動作の一例を示す。図５の処理手順と同様に、例えば、火災感知器２及び受信機７が火災の監視を開始したときに、この処理手順は開始する。
【００４５】
受信機７の通信制御部７４４は、各火災感知器２へ火災の検出結果を要求する状態要求信号を一定期間ごとに送信する。一の火災感知器２が火災を検出したときに、火災を検出した火災感知器２は、通信制御部７４４からの状態要求信号に応答して、火災の発生を示す火災応答信号を受信機７へ送信する。
【００４６】
通信制御部７４４は、一の火災感知器２から火災応答信号を受信した場合に、プロジェクタ１の周囲の明るさの検出結果を要求する照度状態要求信号を照度センサ６へ送信する。照度センサ６は、照度状態要求信号に応答して、プロジェクタ１の周囲の明るさを検出する。照度センサ６は、検出した明るさを所定値と比較し、プロジェクタ１の周囲の明るさが所定値以下であることを検出する。この場合に、照度センサ６は、照度が低いことを示す低照度状態信号を受信機７へ送信する。
【００４７】
通信制御部７４４は、照度センサ６から低照度信号を受信し、プロジェクタ１の周囲の明るさが所定値以下であるため、プロジェクタの使用に適していると判定する。また、通信制御部７４４は、入退室機器５へ施設全体の施錠の状況を示す情報を要求する警備状態要求信号を送信する。入退室機器５は、警備状態要求信号に応答して、施設全体の施錠の状況を示す情報として、施設内が無人であることを示す無人状態信号を送信する。通信制御部７４４は、入退室機器５からの無人状態信号を受信する。
【００４８】
通信制御部７４４は、火災応答信号、低照度信号、及び無人状態信号を受信した場合、プロジェクタ１へ起動信号を送信し、プロジェクタ１に起動処理を開始させる。また、受信機７の画像生成部７４３は、火災が発生したことを示す情報を含む警報画像と、火災の位置を示す情報を含む警報画像とをそれぞれ生成する。通信制御部７４４は、画像生成部７４３により生成された複数の種類の警報画像とともに、警報画像の投影を要求する警報表示要求信号をプロジェクタ１へ送信する。プロジェクタ１は、警報表示要求信号に応答して、受信した複数の種類の警報画像を所定の間隔でスクリーンに交互に投影する。
【００４９】
プロジェクタ１は、警報画像の投影開始後に、警報画像の投影を完了したことを示す警報表示完了信号を受信機７へ送信する。その後、通信制御部７４４は、繰り返し警報表示要求信号をプロジェクタ１へ送信し、プロジェクタ１は、警報表示要求信号を受信し、警報画像のスクリーンへの投影を継続するとともに、警報表示完了信号を受信機７へ送信する。
【００５０】
操作部７２が、警報画像の投影停止及び警報音声の出力停止を指示する施設関係者の復旧操作を受け付けた場合には、通信制御部７４４は、警報画像の表示停止信号をプロジェクタ１へ送信する。プロジェクタ１は、受信した表示停止信号に応答して、警報画像の投影を停止する。また、プロジェクタ１は、警報画像の投影の停止を完了したことを示す警報停止完了信号を受信機７へ送信し、通信制御部７４４は、警報停止完了信号を受信する。
【００５１】
本実施の形態によれば、検出部７４２において施設内が無人状態であることを検出した場合に、施設外を通行する第三者が消防機関へ通報することを期待して、プロジェクタ１は、火災の位置を示す情報を投影する。このため、消防機関への通報までにかかる時間を短縮することができる。さらに、火災の位置を示す情報を投影することにより、消防機関による消火活動を促進することができる。
【００５２】
また、プロジェクタ１は、照度センサ６が周囲の明るさが所定値以下であることを検出した場合に、火災の位置を示す情報を投影する。このため、プロジェクタ１の周りが明るいことに起因して、プロジェクタ１により投影された画像が識別できなくなることを抑制することができる。
【００５３】
また、プロジェクタ１は、火災の位置を示す情報を含む画像と、当該画像とは異なる画像とを交互に投影する。このため、画像の切り替えによって施設外を通行する第三者の注意をひくことができる。
【００５４】
＜第２の実施形態＞
第１の実施形態では、プロジェクタ１が、火災の位置を示す情報を含む警報画像をスクリーンに投影する場合の構成について説明した。これに対し、本実施の形態では、プロジェクタ１が、火災位置特定部７４１により特定された火災の位置と同じ部屋に配置されたカメラにより撮影された画像を投影する場合の例について説明する。
【００５５】
第２の実施形態の火災報知システム１００は、図示しない複数のカメラをさらに備える。複数のカメラは、光学素子により被写体の撮影画像をそれぞれ生成する。複数のカメラは、施設内の異なる部屋、例えば、全ての部屋に配置される。各カメラは、無線ＬＡＮ等により、生成した撮影画像を受信機７へ送信する。通信制御部７４４は、各カメラにより生成された撮影画像を受信し、画像生成部７４３は、通信制御部７４４が受信した撮影画像のうち、火災位置特定部７４１により特定された火災の位置と同じ部屋に配置されたカメラにより撮影された画像を含む警報画像を生成する。
【００５６】
このような構成によれば、プロジェクタ１は、火災の位置と同じ部屋に配置されたカメラにより撮影された画像をスクリーンに投影する。施設外を通行する第三者は、火災の状況をより詳細に把握するため、第三者が消火機関へ通報することがさらに期待できる。
【００５７】
＜第３の実施形態＞
第１及び第２の実施形態では、プロジェクタ１の向きが固定である場合の例について説明した。これに対し、本実施の形態では、プロジェクタ１の向きを変更可能である場合の例について説明する。
【００５８】
本実施の形態の火災報知システム１００は、プロジェクタ１の方向を変更する方向変更部をさらに備える。方向変更部は、プロジェクタ１により警報画像を投影する場合に、施設外を通行する第三者から警報画像が視認しやすい位置に画像が投影されるように、プロジェクタ１の向きを変更する。例えば、方向変更部は、複数の火災感知器２のうちの少なくとも一つが火災を検出した場合に、プロジェクタ１の方向を、施設内において施設の外壁面に形成された窓に対向する位置に火災の位置を示す情報を投影する方向に変更する。
【００５９】
方向変更部は、プロジェクタ１の回転角を決定するためのカメラを備え、既知の画像認識技術により、このカメラにより撮影された画像において施設の外壁面に形成された窓を認識することにより、例えば、施設内において窓に対向するスクリーン又は壁面を特定する。あるいは、方向変更部は、窓越しに画像を投影可能な施設外のスクリーン又は壁面を特定し、特定したスクリーン又は壁面に画像が投影されるように、プロジェクタ１の向きを変更してもよい。
【００６０】
なお、通信制御部７４４は、プロジェクタ１が画像を外から見える位置に投影できる向きを記憶していてもよい。通信制御部７４４は、プロジェクタ１に起動信号を送信する際に、外から見える位置に画像を投影できる向きを指定する情報を方向変更部に送信し、方向変更部が、向きを指定する情報に基づいて投影方向を変更してもよい。
【００６１】
このような構成を採用することにより、他の用途でプロジェクタ１を使用した等の理由によって施設関係者がプロジェクタ１の向きを変更した場合に、火災報知システム１００は、方向変更部がプロジェクタ１の向きを変更することにより、施設外を通行する第三者から警報画像を視認しやすい位置に画像を投影することができる。
【００６２】
なお、実施の形態１〜３では、照度センサ６がプロジェクタ１の周囲の明るさが所定値以下であることを検出した場合に、プロジェクタ１が警報画像を投影する場合の例について説明した。しかしながら、本発明はこれに限定されない。例えば、表示装置が十分な明るさで警報画像を表示すれば、表示装置の周囲の明るさにかかわらず、施設外を通行する第三者が警報画像を視認することができる。このため、表示装置は、複数の火災感知器２のうちの少なくとも一つが火災を検出し、且つ、検出部７４２において人がいないことを検出した場合に、周囲の明るさにかかわらず、火災の位置を示す警報画像を表示する構成であってもよい。
【００６３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６４】
１  プロジェクタ
２  火災感知器
３  終端回路
４  スピーカ
５  入退室機器
６  照度センサ
７  受信機
７１  地区回路
７２  操作部
７３  通信部
７４  制御部
７４１  火災位置特定部
７４２  検出部
７４３  画像生成部
７４４  通信制御部
１００  火災報知システム
【図１】
2018142227.tif 000003
【図２】
2018142227.tif 000004
【図３】
2018142227.tif 000005
【図４】
2018142227.tif 000006
【図５】
2018142227.tif 000007
【図６】
2018142227.tif 000008